(57)【特許請求の範囲】
【請求項１】
流し台のシンク上に固設され、該流し台の排水口の周辺部及び内部を洗浄する固形状又は粘性状の水溶性洗浄剤を詰替え可能に収容し得る洗浄剤用容器であって、
前記水溶性洗浄剤を収容する収容部と、該収容部の蓋として取り着けられる蓋部と、前記収容部を前記シンク上に着脱自在に固定する固設手段と、を備え、
前記収容部には、該収容部の側面における底面側に複数の貫通孔が形成され、
前記複数の貫通孔は、該複数の貫通孔における所定の貫通孔から前記シンク上を流れる水が流入すると共に、前記所定の貫通孔とは異なる他の貫通孔から前記流入した水が流出するように形成されていることを特徴とする洗浄剤用容器。
【請求項２】
前記複数の貫通孔それぞれは、前記収容部における側面から底面に連続して形成されていることを特徴とする請求項１記載の洗浄剤用容器。
【請求項３】
前記収容部に設けられている複数の貫通孔は、１〜３ｍｍ程度の幅のスリットが多数空いているものであることを特徴とする請求項１または２記載の洗浄剤用容器。
【請求項４】
請求項１から３いずれか記載の洗浄剤用容器において、前記蓋部にも複数の貫通孔が設けられていることを特徴とする洗浄剤用容器。
【請求項５】
請求項４記載の洗浄剤用容器において、前記蓋部に設けられている複数の貫通孔は、２〜３ｍｍ程度の小孔が多数空いているものであることを特徴とする洗浄剤用容器。
【請求項６】
請求項４記載の洗浄剤用容器において、前記蓋部に設けられている複数の貫通孔は、１〜３ｍｍ程度の幅のスリットが多数空いているものであることを特徴とする洗浄剤用容器。
【請求項７】
請求項５または６記載の洗浄剤用容器において、前記蓋部は、中心部が低い漏斗形状のものであることを特徴とする洗浄剤用容器。
【請求項８】
請求項５または６記載の洗浄剤用容器において、前記蓋部は、中心部が高い漏斗形状のものであることを特徴とする洗浄剤用容器。
【請求項９】
請求項１から８いずれか記載の洗浄剤用容器において、前記固設手段は、前記収容部の底部に設けられた磁石もしくは吸盤であることを特徴とする洗浄剤用容器。
【請求項１０】
請求項１から９いずれか記載の洗浄剤用容器において、当該洗浄剤用容器は抗菌性プラスチック及び／または防汚効果のあるプラスチックで構成されていることを特徴とする洗浄剤用容器。
【請求項１１】
請求項１０記載の洗浄剤用容器において、前記防汚効果のあるプラスチックは、撥水性のあるプラスチック、撥油性のあるプラスチック、光触媒コートがなされたプラスチック、及び親水剤コートがなされたプラスチックからなる群より選ばれる１以上のものであることを特徴とする洗浄剤用容器。
【請求項１２】
請求項１から１１いずれか記載の洗浄剤用容器内に、固形状又は粘性状の水溶性洗浄剤を収容した洗浄剤入り洗浄具。
【発明の詳細な説明】
【０００１】
【発明の属する技術分野】
本発明は、流し台のシンクの排水口周辺部及び内部に付着するぬめり、黒ずみ等を除去するための洗浄剤を収容した洗浄剤容器及び洗浄剤を収容するための洗浄剤用容器に関する。
【０００２】
【従来の技術】
台所における流し台のシンク上には、料理をする際の食材からの汁気、食器を洗う際の料理カスや洗剤、或いは、生ゴミ収納容器からの生ごみの汁気などが流されるなど、ぬめりや黒ずみ等が付着しやすい環境となっている。そして特に、排水が最終的に集中する排水口周辺部や内部のストレーナーの部分には、このぬめりや黒ずみ等が付着しやすく、見た目に気持ちの良いものでないのは勿論のこと、不衛生であるとともに、それらを除去するための掃除を数多く行う必要があり、非常に面倒である。
【０００３】
これに関し、従来より、塩素系殺菌剤を主成分とする洗浄剤を用いたぬめり等の除去・付着防止が行われていたが、塩素系の洗浄剤では、酸やアルカリ性の漂白剤や洗剤等と反応して発熱や塩素ガス発生を起こす場合があるとともに、金属やゴム等の腐食や劣化の発生を誘引する原因にもなる。
【０００４】
そこで、近年では、特開平９−７１５０１号公報に記載されているようなヨードホールを用いた環境殺菌剤や微生物製剤、或いは、酵素製剤や酸素系の酸化剤などを洗浄剤として用い、金属に対する腐食性を緩和させるとともに、人にとって有毒なガスの発生を抑制することとしている。しかし、上記環境殺菌剤などは、塩素系殺菌剤を主成分とする洗浄剤よりも洗浄力が落ちてしまう。
【０００５】
一方、上記のような洗浄剤は、特開平９−６００７４号公報に記載されているように、二つの分割容器を折り畳んで外縁に設けた嵌合部で嵌合する洗浄剤入り洗浄具に収容され、流し台の排水口に装着するストレーナーの把手にフック部で吊り下げるといったような形態で用いられる。
【０００６】
【発明が解決しようとする課題】
しかしながら、上記公報に記載されているような構造を有する洗浄剤入り洗浄具では、排水口の周辺部には洗浄剤が全くかからず、相変わらず汚れが付着したままであり、また、排水口の内部においても吊り下げられた分割容器の下方に洗浄剤がかかるのみであって、全体を洗浄するには至らない。特に、上述した環境殺菌剤による洗浄剤を用いる際には、排水口の周辺部や内部において万遍なく洗浄剤がかかる状態となることが必要である。
【０００７】
しかも、洗浄剤入り洗浄具をストレーナーに吊り下げる場合には、排水口内に溜まったゴミを捨てる際に非常に邪魔になる。また、上記のような洗浄剤入り洗浄具を排水口の菊割ゴム蓋上にセットすることも提案されているが、相変わらず排水口周辺部の汚れはとれず、上記と同様に排水口内に溜まったゴミを捨てる際に非常に邪魔になるということも解消されない。
【０００８】
更に、流し台のシンク上には蛇口より水道水が一度に大量に流されるときもあり、そのような場合には、菊割ゴム蓋上の洗浄剤入り洗浄具が水上に浮かび上がって移動してしまうなど、水仕事をする際にも非常に邪魔になる。
【０００９】
本発明は、上記のような問題点に鑑みてなされたものであり、その目的は、排水口の周辺部及び内部にも洗浄剤が行き渡りやすい洗浄剤入り洗浄具及び洗浄剤用容器を提供することにある。
【００１０】
【課題を解決するための手段】
本発明者は、上記目的を達成するために鋭意研究を重ねた結果、キッチンにおける流し台のシンク上に設置し、排水口の周辺部及び内部に生ずるぬめりや黒ずみなどの汚れの除去及び蓄積防止を実現し、かつ、キッチンの水仕事にも邪魔にならないような洗浄剤入り洗浄具及び洗浄剤用容器を発明するに至った。
【００１１】
すなわち、本願の第１の発明に係る洗浄剤用容器は、流し台のシンク上に固設され、該流し台の排水口の周辺部及び内部を洗浄する固形状又は粘性状の水溶性洗浄剤を詰替え可能に収容し得る洗浄剤用容器であって、前記水溶性洗浄剤を収容する収容部と、該収容部の蓋として取り着けられる蓋部と、前記収容部を前記シンク上に着脱自在に固定する固設手段と、を備え、前記収容部には、該収容部の側面における底面側に複数の貫通孔が形成され、前記複数の貫通孔は、該複数の貫通孔における所定の貫通孔から前記シンク上を流れる水が流入すると共に、該所定の貫通孔とは異なる他の貫通孔から該流入した水が流出するように形成されている構成としてある。
また、複数の貫通孔それぞれは、前記収容部における側面から底面に連続して形成されていることが好ましい。
【００１２】
斯かる第１の発明によれば、固形状又は粘性状の水溶性洗浄剤が収容され、洗浄剤入り洗浄具とされた状態で流し台のシンク上に設置されると、必然的に、シンク上の水に曝されることになる。そして、上記第１の発明に従い、少なくとも収容部において複数の貫通孔が設けられていることにより、当該複数の貫通孔から収容部内に水が侵入し、その収容部内に収容されている固形状又は粘性状の水溶性洗浄剤が溶かされ、当該洗浄剤が排水口の周辺部及び内部に向かって流れていくこととなる。
【００１３】
そして、排水口の周辺部及び内部に流れ込んだ洗浄剤は、その部分のぬめりや黒ずみを除去し、或いはそれらがその部分に付着するのを防止するので、本発明に係る洗浄剤用容器を採用することにより、流し台の排水口の内部及びそこのストレーナーのみならず、従来は不可能であった排水口の周辺部に対してまで、ぬめりや黒ずみの除去・発生防止をし、その部分の清潔さを保つことができるようになる。
【００１４】
なお、第１の発明に係る構成を採用することにより、基本的には洗浄剤底部に水がかかって、徐々に底部から侵食されて、侵食された洗浄剤が下へ下がって行くような構造となるので、下からも上からも水がかかるような構造のものと比較して、洗浄剤の溶解スピードをコントロールしやすいという利点がある。
【００１５】
また、上記のような第１の発明に係る洗浄剤用容器では、水は上から流れ込まず、その底周辺から水が流れ込み・流れ出すタイプのものとなっているところ、水の入り口となる貫通孔と出口となる貫通孔とについては、相互に異なる大きさ・異なる形状の孔であってもよいが、基本的には同じ形状で同じ大きさの貫通孔であるのが好ましい。更に、貫通孔の位置が高いと収容部内に水が流れ込まなくなるため、貫通孔の位置はできるだけ容器の底に近い方が良い。
【００１６】
また、本願の第２の発明に係る洗浄剤用容器では、第１の発明に係る洗浄剤用容器において、前記収容部に設けられている複数の貫通孔は、１〜３ｍｍ程度の幅のスリットが多数空いている構成としてある。
【００１７】
斯かる第２の発明によれば、第１の発明に係る複数の貫通孔を１〜３ｍｍ程度の幅のスリットとすることにより、流し台の上で発生したゴミが容器内に入り難くなる。このため、第２の発明によれば、洗浄剤用容器内を清浄に保てるという利点がある。
【００１８】
また、本願の第３の発明に係る洗浄剤用容器は、第１の発明または第２の発明に係る洗浄剤用容器において、前記蓋部にも複数の貫通孔が設けられている構成としている。
【００１９】
このような第３の発明に係る構成を採用することにより、上面と底面又は周面との各々に貫通孔を有する洗浄剤用容器となって、水が上からも容器内に流れ込むタイプの洗浄剤用容器となり、その上から水がかかったときにも、上から侵入した水によって、洗浄剤用容器内に収容されている固形状又は粘性状の水溶性洗浄剤が溶かされ、当該洗浄剤が排水口の周辺部及び内部に向かって流れていくこととなる。
【００２０】
このため、第３の発明に係る洗浄剤用容器を採用することにより、第１の発明よりも多くの洗浄剤を排水口に対して流すことができるので、排水口の表面積が大きいときにも十分に対応することができる。
【００２１】
また、本願の第４の発明に係る洗浄剤用容器によれば、第３の発明に係る洗浄剤用容器において、前記蓋部に設けられている複数の貫通孔は、２〜３ｍｍ程度の小孔が多数空いている構成としている。
【００２２】
即ち、貫通孔が大きいと、ネギのきざみゴミなどが容器内に入ってしまうが、このようにすることにより、流し台の上で発生する小さなゴミが容器内に入ってしまうのを防止することができ、容器内を清潔に保つことができるという利点がある。
【００２３】
また、本願の第５の発明に係る洗浄剤用容器では、第３の発明に係る洗浄剤用容器において、前記蓋部に設けられている複数の貫通孔は、１〜３ｍｍ程度の幅のスリットが多数空いている構成としている。
【００２４】
斯かる第５の発明に係る洗浄剤用容器によれば、上から水を多く取り込むことができる一方で、流し台の上で発生するゴミが容器内に入ってしまうのを有効に防止することができる。
【００２５】
また、本願の第６の発明に係る洗浄剤用容器によれば、第４の発明または第５の発明に係る洗浄剤用容器において、前記蓋部は、中心部が低い漏斗形状のものである構成としており、本願の第７の発明に係る洗浄剤用容器によれば、第４の発明または第５の発明に係る洗浄剤用容器において、前記蓋部は、中心部が高い漏斗形状のものである構成としている。
【００２６】
ここで、第６の発明に係る構成とし、蓋部の中心部が低い漏斗形状のものすることにより、水を効率的に容器内に取り入れることができるようになる。この一方で、第７の発明に係る構成とし、蓋部の中心部が高い漏斗形状のものすることにより、蓋部の上に付着したゴミが落ち易くなる。
【００２７】
しかしながら、第６の発明に係る洗浄剤用容器では蓋部にゴミが溜まり易く、第７の発明に係る洗浄剤用容器では容器内への水の取り込み効率が低下するので、第６の発明に係る洗浄剤用容器を選択するか、第７の発明に係る洗浄剤用容器を選択するか、については、例えば「この場所はゴミが落下しやすい位置なので、第７の発明のタイプのものにする」とか、「この場所は結構水がかかりやすい場所なので、第6の発明のタイプのものにする」とかいうように、流し台の構成や洗浄剤用容器の置き場所などを考えて、適宜決定をすることになる。
【００２８】
なお、第６の発明及び第７の発明に係る洗浄剤用容器のいずれにおいても、スリット状の貫通孔（第５の発明のもの）を採用した場合には、スリットの方向は、容器の頂点に向かって入っているようなものが好ましい。
【００２９】
また、本願の第８の発明に係る洗浄剤用容器では、第１の発明〜第７の発明のいずれかに係る洗浄剤用容器において、前記固設手段は、前記収容部の底部に設けられた磁石もしくは吸盤である構成としている。
【００３０】
斯かる第８の発明によれば、上記のような固設手段によってシンク上に設置固定させることにより、シンク上に洗浄剤入り洗浄具を着脱自在に固定した設置状態とすることが可能となり、シンク上に存在する食材や食器等の混み具合によって、洗浄剤入り洗浄具を自由に都合よい場所に移動させることが可能となる。そして、例えば、排水口から離れた位置に設置することにより、排水口の周辺部及び内部に同時に万遍なく洗浄剤がかかることとなり、排水口の周辺部及び内部の全ての部分に対して、そこに付着したぬめりや黒ずみを除去すると共にその発生を防止することが可能となる。
【００３１】
なお、本発明における固設手段としては、例えば粘着テープのようなものを使用することもできるが、第８の発明のように固設手段が吸盤や磁石である場合には、粘着テープを剥がすときの跡残りなどの問題が発生しないという利点がある。特に、固設手段が磁石である場合には、大きさがコンパクトでありながらにして固定力を強くし得、また、シンクの表面が凹凸形状であった場合でも固定可能であり、更に、シンクの壁面部付近などにも容易に固定させることが可能となる。但し、固設手段を吸盤とするか磁石とするかについては、流し台のシンクがステンレス製かホーロー製かなど、磁石が着くものであるか否かを指標に決めるようにする。
【００３２】
また、本願の第９の発明に係る洗浄剤用容器では、第１〜第８の発明のいずれかに係る洗浄剤用容器において、当該洗浄剤用容器は抗菌性プラスチック及び／または防汚効果のあるプラスチックで構成されていることを特徴とする。また更に、本願の第１０の発明に係る洗浄剤用容器では、第９の発明に係る洗浄剤用容器において、前記防汚効果のあるプラスチックは、撥水性のあるプラスチック、撥油性のあるプラスチック、光触媒コートがなされたプラスチック、及び親水剤コートがなされたプラスチックからなる群より選ばれる１以上のものであることとしている。
【００３３】
斯かる第９の発明に係る洗浄剤用容器によれば、洗浄剤用容器を抗菌性プラスチック及び／または防汚効果のあるプラスチックで構成することにより、洗浄剤用容器自身が汚濁され難くなる。これにより、洗浄剤用容器自体の清潔さが保たれると共に、長期にわたって流し台のシンクに設置し続けることができるようになる。
【００３４】
この場合において、第９の発明の洗浄剤用容器に係る「防汚効果のあるプラスチック」を具体的に実施するにあたっては、上記の第１０の発明のように、撥水性のあるプラスチック、撥油性のあるプラスチック、光触媒コートがなされたプラスチック、親水剤コートがなされたプラスチックを適宜選択し、或いは、必要に応じて適宜組み合せて使用するのが好適である。
【００３５】
また、本願の第１１の発明では、上記の第１〜第１０の発明のいずれかに係る洗浄剤用容器内に固形状又は粘性状の水溶性洗浄剤を収容した洗浄剤入り洗浄具をその構成としている。即ち、本願の第１１の発明に係る洗浄剤入り洗浄具は、流し台のシンク上に設置され、蛇口より流出する水を通過させて排水口の周辺部及び内部を洗浄する洗浄剤入り洗浄具であって、固形状又は粘性状の水溶性洗浄剤を収容し、底面（または、必要に応じてその上面及び／又は周面）との各々に貫通孔を有する洗浄剤用容器と、該洗浄剤用容器の底面及び／又は周面には当該洗浄剤用容器を前記シンク上に着脱自在に固定した設置状態とするための固設手段と、からなる。
【００３６】
斯かる第１１の発明に係る洗浄剤入り洗浄具によれば、蓋部を収容部から取り外すのみで水溶性洗浄剤を容易に詰替えることが可能であると共に、水溶性洗浄剤を収容した状態で、固設手段により、シンク上に着脱自在に固定した設置状態とすることが可能となる。
【００３７】
これにより、シンク上に存在する食材や食器などの混み具合によって、洗浄剤入り洗浄具を自由に都合よい場所に移動させることが可能となり、例えば、排水口から離れた位置に設置させることにより、排水口の周辺部及び内部に同時に万遍なく洗浄剤をかけることが可能となる。
【００３８】
【発明の実施の形態】
次に、本発明の実施の形態について、図を参照しつつ説明するが、本発明はこれに限定されるものでない。
【００３９】
＜第１実施形態＞
［基本構成］
まず、洗浄剤入り洗浄具１の構造について説明する。図２は、本実施形態の洗浄剤入り洗浄具１を示す一部切欠き断面図である。図３は、本実施形態の洗浄剤入り洗浄具１を分解した際の分解図である。図４は、本実施形態の洗浄剤入り洗浄具１における洗浄剤用容器の蓋部を示す上面図である。図５は、本実施形態の洗浄剤入り洗浄具における収容部を示す底面図である。
【００４０】
これらの図を参照しつつ説明すると、図２及び図３に示されるように、本実施形態の洗浄剤入り洗浄具１は、収容部１１と、この収容部１１を覆う蓋部１２と、を備えた洗浄剤用容器９を用い、その中に水溶性洗浄剤７を収容することにより構成される。洗浄剤用容器９の収容部１１及び蓋部１２の各々には、先述したように複数の貫通孔８が設けられている。ここで、蓋部１２は収容部１１に対して着脱自在に取着可能であり、水溶性洗浄剤７を詰め替えることが可能な構造となっている。そして、洗浄剤用容器９の底面１ｂには、洗浄剤用容器９をシンク３上に着脱自在に固定した設置状態とするための固設手段１０としての磁石が備えられている。
【００４１】
ここで、図２に示すように、収容部１１の外周縁部には凸部１１ａが設けられており、蓋部１２の内周縁部には凹部１２ａが設けられている。そして、図３に示すように、収容部１１の凸部１１ａと蓋部１２の凹部１２ａとが嵌合することにより、洗浄剤用容器９が組み上がる。そして、組み上がった状態の洗浄剤用容器９（或いは、水溶性洗浄剤７が内部に収容された洗浄剤入り洗浄具１）において、蓋部１２の外面が洗浄剤用容器９の上面１ａを形成し、収容部１１の外面が洗浄剤用容器９の底面１ｂを形成することになる。なお、本実施形態においては、洗浄剤入り洗浄具１の底面１ｂのほぼ中央部分に、ほぼ円形状の突状部１１ｂが設けられており、水溶性洗浄剤７は突状部１１ｂ上に載置される状態で収容される。
【００４２】
［洗浄剤］
本実施形態の水溶性洗浄剤７は、塩素系の酸化剤を用いたものでなく、金属を侵しにくく、人体にも安全な成分のものを使用している。そのようなものとしては、例えば、ポリオキシエチレングリコールやポリオキシエチレン、ポリオキシプロピレングリコールブロックポリマーなどの水溶性ポリマーに殺菌成分を配合して成形したものを挙げることができる。
【００４３】
このような水溶性ポリマーは、熱で溶解して成形型に流し込んで成形することや、機械で練り込んで型押しするなどの方法で成形することが可能である。他の固形の洗浄剤としては、粉体を打錠成形する方法で成形したものを挙げることができる。そのようなものとしては、例えば、硫酸ナトリウム等の水溶性無機物をベースに殺菌成分を配合して打錠成形したものを挙げることができる。そして、成形物の作製にあたっては、無機もしくは有機の賦形剤を使用することが可能であり、その他にも、溶解抑制剤、膨張抑制剤、倒壊剤、香料、色素、キレート剤等を配合することができる。
【００４４】
また、水溶性洗浄剤の殺菌成分としては、ヨウ素、過炭素ソーダ、ホウ酸、イオウ化合物または銀などの無機系や、ヒノキチオール、孟字竹、わさびまたは緑茶などの天然抽出物や、アルコール、不飽和モノカルボン酸、アミノ酸誘導体、シアヌール酸誘導体、グアニジン誘導体、第４級アンモニウム塩、イミダゾール誘導体、イソチアゾール誘導体、チアゾール誘導体、グアニジン誘導体、ベンゼンカルボン酸誘導体、ヒドロキシカルボン酸誘導体などを用いることが可能である。なお、本実施形態では固形状の洗浄剤を用いているが、これに限定されるものではなく、水によって徐々に溶け出すものであればよく、ゼリー状などの粘性状のものや粉末状のものを使用することもできる。
【００４５】
［貫通孔］
洗浄剤入り洗浄具１における上面１ａ（即ち、洗浄剤用容器９における蓋部１２の外表面）の貫通孔８ａは、図２及び図３に示すものではほぼ三角形状をなし、円周方向に沿って６つ並設されており、水が上面から入り込みやすい状態とされている。
【００４６】
しかしながら、水が上面から入り込みやすい構造を保ちつつ、流し台上で発生するゴミが侵入するのを防止するという観点からすれば、貫通孔８ａは、図４に示すように、容器９の頂点に向かって入っているスリット状の貫通孔とするのが好ましい。
【００４７】
また、洗浄剤入り洗浄具１における底面１ｂ、すなわち洗浄剤用容器９における収容部１１の底面１ｂの貫通孔８ｂは、図５に示すようにほぼ四角形状をなし、周縁部において円周方向に沿って複数形成されている。これにより、上面１ａの貫通孔８ａが存在すると否とに拘わらず、収容部１１の底面の貫通孔８ｂの中の上流側に位置するものから水が流入し、下流側に位置するものから流出していくことになる。なお、底面１ｂの貫通孔８ｂについても、上面１ａの貫通孔８ａと同様の理由により、スリット状の貫通孔とするのが好ましい。
【００４８】
［使用形態］
図１は、本実施形態の洗浄剤入り洗浄具を流し台のシンク上に設置している状態を説明する説明図である。
【００４９】
本実施形態の洗浄剤入り洗浄具１は、流し台２のシンク３上に設置され、水道の蛇口４より流出する水を通過させて排水口５の周辺部及び内部を洗浄するものである。本実施形態の洗浄剤入り洗浄具１は、洗浄剤入り洗浄具１をユーザーの所望の位置に設置固定させることができるが、例えば図１に示すように、排水口の近傍において、シンク３上で食材や食器などを置くのに邪魔にならず、かつ水仕事の邪魔にもならないような位置を選び、固定した状態で設置をする。
【００５０】
このような場合において、水道の蛇口４からは水が流出しており、それが直接的に洗浄剤入り洗浄具１の内部に入り込むか、或いは、シンク３上に溜められた水が間接的に洗浄剤入り洗浄具１の内部に入り込むかして、洗浄剤入り洗浄具１の内部に収容された水溶性洗浄剤を溶かしつつ外部へ流出し、排水口５の周辺部はもとより、シンク３上を広く通って排水口５の内部へと流れ込む。
【００５１】
ここで、排水口５の内部にはストレーナー６（図１においては略図が示されているが、実際には水が通過する網目状の形態をなしている）が配備されており、水以外の生ゴミ等が下水道に流れ込まないようにしている。そして、このストレーナー６に生ゴミ等が溜まる結果、そこにはぬめりや黒ずみなどの汚れが非常に付着しやすい環境となっているが、本実施形態の洗浄剤入り洗浄具１を使用した場合には、当該洗浄具１を介して、洗浄水が排水口５の外部の周辺から内部のストレーナー６にわたって広く供給されることとなり、それら全体に対して広く殺菌及び洗浄することが可能となる。
【００５２】
因みに、本実施形態では、蓋部１２の貫通孔８ａが中央部を中心に設けられているのに対して、収容部１１の貫通孔８ｂが周縁部に設けられているので、結果として、洗浄剤用容器９の内部に入り込んで外部に排出される際の流れルートに水溶性洗浄剤７が位置することとなる。これにより、当該水溶性洗浄剤７をより効率的に溶かすことが可能となり、排水口５の周辺部及び内部のストレーナー６がよりきれいに洗浄されることとなる。
【００５３】
また、収容部１１の底面には、上述したように、ほぼ円形状の固設手段１０が突状部１１ｂの裏面側に入り込むように貼着されている。これにより、洗浄剤入り洗浄具１全体をコンパクトな構成とすることができ、ホーロー製等のシンク３上において、所望の位置に設置固定する自由度が増し、本発明に係る洗浄剤入り洗浄具１の利便性が向上する。加えて、本実施形態によれば、シンク３の表面が凹凸形状であっても、固定した設置状態とすることが可能であり、また、設置した跡なども残らず、移動作業が簡単で、非常に便利である。
【００５４】
＜第２実施形態＞
次に、本発明の洗浄剤入り洗浄具の第２の実施形態について説明する。
【００５５】
図６は、第２の実施形態の洗浄剤入り洗浄具を示す概略斜視図である。図７は、第２の実施形態の洗浄剤入り洗浄具の内部を示す一部切欠き断面図である。図８は、第２の実施形態における洗浄剤用容器の蓋部を示す上面図である。図９は、第２の実施形態における洗浄剤用容器の収容部を示す底面図である。
【００５６】
第２の実施形態の洗浄剤入り洗浄具２１は、図６に示すようにほぼ円柱形状の形態をなしており、水溶性洗浄剤を収容する収容部２３と、収容部２３に着脱自在に取着可能な蓋部２４と、を備えた洗浄剤用容器２５を用いており、洗浄剤の詰め替えが可能な構造となっている。
【００５７】
図７に示すように、洗浄剤用容器２５の内部には水溶性洗浄剤２２が収容部２３の突状部２６上に載置された状態で収容されている。そして、洗浄剤入り洗浄具２１における上面（即ち、洗浄剤用容器２５の蓋部２４）には、図８に示すように、ほぼ円形状の貫通孔２７が複数設けられている。この一方で、洗浄剤入り洗浄具２１の底面及び周面（即ち、洗浄剤用容器２５の収容部２３の底面及び周面）には、図９に示すように、半円形状の貫通孔２８が、その底面から周面へと繋がるようにして、円周方向に沿って並設されている。
【００５８】
また、収容部２３の突状部２６と相反する裏面部分には、ほぼ円形状の磁石が固設手段２９として設けられている。このような構成により、固設手段２９によって、洗浄剤入り洗浄具２１をシンク上に着脱自在に固定した設置状態とすることが可能となり、シンク上に存在する食材や食器などの混み具合によって、洗浄剤入り洗浄具２１を自由に都合よい場所に移動させることが可能となる。そしてまた、排水口から離れた位置に設置させることにより、排水口の周辺部及び内部に同時に万遍なく洗浄剤をかけることが可能となる。
【００５９】
＜第３実施形態＞
更に、第３の実施形態における洗浄剤入り洗浄具について説明する。
【００６０】
図１０は、第３の実施形態における洗浄剤入り洗浄具を示す一部切欠き断面図である。図１１は、第３の実施形態における洗浄剤入り洗浄具における洗浄剤用容器の蓋部を示す上面図である。図１２は、第３の実施形態における洗浄剤入り洗浄具における洗浄剤用容器の収容部を示す底面図である。
【００６１】
この実施形態の洗浄剤入り洗浄具３１は、図１０に示すように、ドーム形状をなす蓋部３２と、この蓋部３２によって蓋される収容部３３と、を備えた洗浄剤用容器３４の内部に水溶性洗浄剤３５を収容している。この場合において、水溶性洗浄剤３５は、収容部３３の突状部３６の上に載置された状態で収容されている。
【００６２】
そして、図１０及び図１１に示すように、蓋部３２においては、半円形状の貫通孔３７を円周方向に沿って複数個並設させており、収容部３３の周面には、図１０に示すように、長方形の貫通孔３８を円周方向に沿って複数個並設させているが、この実施形態では、収容部３３の底面には貫通孔を設けず、収容部３３についてはその周面にのみ貫通孔３８を設けるようにしている。
【００６３】
このような第３実施形態に係る洗浄剤入り洗浄具３１においては、蓋部３２を収容部３３に取着した際には、貫通孔３７及び貫通孔３８が連続して形成されているように見える状態となる。そして、このような構成を採用した場合には、洗浄剤入り洗浄具３１内部に入り込む水は、重力方向に向かって排出されるが、底面には貫通孔が設けられていないので、水の排出スピードがその分だけ低下することとなる。これにより、水溶性洗浄剤３５がより長い時間水に浸かることとなり、洗浄剤３５がより多く溶けることになって、洗浄剤の濃度の高い水を排出口の周辺部及び内部にかけることが可能となる。
【００６４】
更に、図１２に示すように、収容部３３の底面には、突状部３６と相反する裏面部に固設手段３９としての磁石が設けられている。従って、この実施形態においても、洗浄剤入り洗浄具３１をシンク上に着脱自在に固定した設置状態とすることが可能であり、シンク上に存在する食材や食器などの混み具合によって、洗浄剤入り洗浄具３１を都合よい場所に自由に移動させることができると共に、排水口から離れた位置に設置させることにより、排水口の周辺部及び内部に同時に万遍なく洗浄剤をかけることが可能となる。
【００６５】
また、図１３に示すように、本発明における固設手段４１は、３つの位置に分散させた状態で設けておくことも可能であり、この場合には、洗浄剤入り洗浄具をシンク上においてより安定させた固定状態で設置することが可能となる。また、上記実施形態では、固設手段として磁石を用いているが、これに限定されるものでなく、収容部の底面に吸盤を設けてシンク上に吸着させて固定した状態で設置することも可能である。
【００６６】
本実施形態においては、洗浄剤入り洗浄具は蓋部と収容部とが着脱自在に取着されるように構成されているが、これに限定されるものでなく、蓋部と収容部とが一体的に成形されているような構造を有するものでもよい。
【００６７】
【発明の効果】
以上説明したように、本発明によれば、固設手段によりシンク上の都合よい場所に自由に着脱自在に移動させることが可能であって、また、水に溶けた水溶性洗浄剤を排水口の周辺部及び内部に万遍なくかけることが可能となり、排水口の周辺部及び内部にも洗浄剤が行き渡りやすい洗浄剤入り洗浄具及び洗浄剤用容器が得られることになる。
【図面の簡単な説明】
【図１】  本実施形態の洗浄剤入り洗浄具を流し台のシンク上に設置している状態を説明する説明図である。
【図２】  本実施形態の洗浄剤入り洗浄具１を示す一部切欠き断面図である。
【図３】  本実施形態の洗浄剤入り洗浄具１を分解した際の分解図である。
【図４】  本実施形態の洗浄剤入り洗浄具１における洗浄剤用容器の蓋部を示す上面図である。
【図５】  本実施形態の洗浄剤入り洗浄具における収容部を示す底面図である。
【図６】  第２の実施形態の洗浄剤入り洗浄具を示す概略斜視図である。
【図７】  第２の実施形態の洗浄剤入り洗浄具の内部を示す一部切欠き断面図である。
【図８】  第２の実施形態における洗浄剤用容器の蓋部を示す上面図である。
【図９】  第２の実施形態における洗浄剤用容器の収容部を示す底面図である。
【図１０】  第３の実施形態における洗浄剤入り洗浄具を示す一部切欠き断面図である。
【図１１】  第３の実施形態における洗浄剤入り洗浄具における洗浄剤用容器の蓋部を示す上面図である。
【図１２】  第３の実施形態における洗浄剤入り洗浄具における洗浄剤用容器の収容部を示す底面図である。
【図１３】  本発明における固設手段の別の実施形態を示す底面図である。
【符号の説明】
１、２１、３１    洗浄剤入り洗浄具
２    流し台
３    シンク
４    蛇口
５    排水口
６    ストレーナー
７、２２、３５    水溶性洗浄剤
８、２７、２８、３７、３８    貫通孔
９、２５、３４    洗浄剤用容器
１０、２９、３９    固設手段
【図１】
0003943844.tif 000002
【図２】
0003943844.tif 000003
【図３】
0003943844.tif 000004
【図４】
0003943844.tif 000005
【図５】
0003943844.tif 000006
【図６】
0003943844.tif 000007
【図７】
0003943844.tif 000008
【図８】
0003943844.tif 000009
【図９】
0003943844.tif 000010
【図１０】
0003943844.tif 000011
【図１１】
0003943844.tif 000012
【図１２】
0003943844.tif 000013
【図１３】
0003943844.tif 000014